(57)【要約】　　　（修正有）【課題】従来の防振装置は、圧縮コイルバネの一端に係合する係合鍔部や、抜落防止部材、粘弾性片を突設したサージング防止部材等を必要として構造が複雑であり、又、荷重表示線を設けたものでは、荷重がかかっていることは判別が可能であるが適正な荷重か否かは判断が困難なものであった。【解決手段】下部ゴム座１と、下部キャップ２と、コイルスプリング３と、上部キャップ４と、上部ゴム座５とから成り、下部係合部２ｂと上部係合部４ｂの夫々の係合面に位置決め部４ａを形成し、夫々の位置決め部の位置を表示する位置決め表示部４ｅを下部キャップと上部キャップとの胴周に設けると共に、下部キャップの胴周に上部キャップの下端の位置の荷重を表示する複数の荷重目盛表示部６を設けた防振装置である。【選択図】　　図１
0003098653.tif 000002
【実用新案登録請求の範囲】
【請求項１】
平坦状の下面に複数の溝を刻設した下部ゴム座と、該下部ゴム座の上面の突設した下部固定部と、該下部固定部を嵌入させる下部固定用穴を底部の中心に穿設すると共に縁部外周に複数の下部係合部を突設させたカップ状の下部キャップと、該下部キャップに上方を突出させて収容されるコイルスプリングと、該コイルスプリングの位置決め部をリング状に天板の内側に突設すると共に前記下部キャップの複数の下部係合部と係合する複数の上部係合部を縁部内周に突設させたカップ状の上部キャップと、該上部キャップの天板の中心に穿設した上部固定用穴と、該上部固定用穴に嵌入させる上部固定部を下面に突設し平坦状の上面に複数の溝を刻設した上部ゴム座とから成り、前記複数の下部係合部と前記複数の上部係合部の夫々の係合面に凹凸状の位置決め部を形成し、該夫々の位置決め部の位置を表示する位置決め表示部を下部キャップと上部キャップとの胴周に設けると共に、前記下部キャップの胴周に上方からの荷重によって可変する上部キャップの下端の位置の荷重を表示する複数の荷重目盛表示部を設けたことを特徴とする防振装置。
【考案の詳細な説明】
【０００１】
【産業上の利用分野】
本考案は、防振装置に関するものであり、更に詳細には、ポンプや送風機、パッケージエアコン等の振動を発生させる機器と建築の床または土台との間に介在させて振動を吸収する防振装置に関するものである。
【０００２】
【従来技術】
従来、この種の防振装置は各種開発され使用されており、何れもコイルスプリングの弾性を利しているもので、コイルスプリングを収納させる摺動自在な下部キャップと上部キャップとの係合、及び、経時にわたって繰り返し荷重が加わるコイルスプリングの位置決めに苦慮しており、例えば、荷重担持用の圧縮コイルバネの内周に配設される筒部と、前記筒部の一端から突設されており、前記圧縮コイルバネの一端に係合する係合鍔部と、筒部の外周面に突設されており、前記圧縮コイルバネに接触する粘弾性片とで構成されたもの（特許文献１参照）があり、又、荷重を表示する手段としては、両ばねカバーのうち、外径の小さいばねカバーの外周面の所定荷重を表示すべき位置に、その全周にわたって、外径の大きい他方のばねカバーに衝突しない大きさの荷重表示線を同ばねカバーと一体に設けたもの（特許文献２参照）が開示されている。
【０００３】
【特許文献１】
特開平８−５４０４１号公報
【特許文献２】
実告昭６２−４２１９１号公報
【０００４】
【解決しようとする課題】
然し乍ら、荷重担持用の圧縮コイルバネの内周に配設される筒部と、前記筒部の一端から突設されており、前記圧縮コイルバネの一端に係合する係合鍔部と、筒部の外周面に突設されており、前記圧縮コイルバネに接触する粘弾性片とで構成されたものでは、圧縮コイルバネの一端に係合する係合鍔部や、抜落防止部材、粘弾性片を突設したサージング防止部材等を必要として構造が複雑であり、又、外径の小さいばねカバーの外周面の所定荷重を表示すべき位置に、その全周にわたって、外径の大きい他方のばねカバーに衝突しない大きさの荷重表示線を設けたものでは、荷重がかかっていることは判別が可能であるが適正な荷重か否かは判断が困難なものであった。
【０００５】
【課題を解決するための手段】
本考案は、前述の課題に鑑み、鋭意研鑽の結果、下部ゴム座と、下部ゴム座に突設した下部固定部と、下部固定部を嵌入させる下部固定用穴を穿設すると共に下部係合部を突設させた下部キャップと、下部キャップに収容されるコイルスプリングと、コイルスプリングの位置決め部を突設すると共に下部キャップの下部係合部と係合する上部係合部に突設させた上部キャップと、上部キャップに穿設した上部固定用穴と、上部固定用穴に嵌入させる上部固定部を突設した上部ゴム座とから成り、下部係合部と上部係合部の夫々の係合面に位置決め部を形成し、夫々の位置決め部の位置を表示する位置決め表示部を下部キャップと上部キャップとの胴周に設けると共に、下部キャップの胴周に上部キャップの下端の位置の荷重を表示する複数の荷重目盛表示部を設けたものである。
【０００６】
【考案の作用】
本考案の防振装置は、下部キャップの縁部外周に複数の下部係合部を突設し、複数の下部係合部に係合する複数の上部係合部を上部キャップの縁部内周に突設し、複数の下部係合部と複数の上部係合部との夫々の係合面に位置決め部を形成すると共に、下部キャップと上部キャップとの夫々の胴周に夫々の位置決め部を表示する位置決め表示部を設けたことによって、コイルスプリングを収納させた下部キャップと上部キャップとの嵌合状態を的確に把握でき、着脱が容易なためメンテナンス等の場合の点検、コイルスプリングの交換が容易であり、更には、荷重によって可変する上部キャップの下端の位置で荷重を重さを表す複数の荷重目盛表示部を付設したことにより、適正な荷重であるか否かが容易に判別ができるものである。
【０００７】
従って、本考案の目的は、防振装置の構造を簡素化し、コイルスプリングの収容、交換、点検を容易とし、更に、下部キャップと上部キャップとの位置決めが的確に把握でき、更には、適正荷重が一目瞭然で判別できる防振装置の提供するものである。
【０００８】
【考案の実施の形態】
以下、本考案の防振装置の実施の形態を図面によって具体的に説明する。
【０００９】
図１は本考案の防振装置の実施の形態を説明するための縦中心線より右側を断面とした正面図であり、図２は本考案の防振装置の実施の形態の下部キャップの平面図であり、図３は本考案の防振装置の実施の形態の上部キャップの底面図である。
【００１０】
本考案は、防振装置に関するものであり、更に詳細には、ポンプや送風機、パッケージエアコン等の振動を発生させる機器と建築の床または土台との間に介在させて振動を吸収する防振装置に関するものであり、平坦状の下面に複数の溝１ｂを刻設した下部ゴム座１と、該下部ゴム座１の上面に突設した下部固定部１ａと、該下部固定部１ａを嵌入させる下部固定用穴２ａを底部の中心に穿設すると共に縁部外周に複数の下部係合部２ｂを突設させたカップ状の下部キャップ２と、該下部キャップ２に上方を突出させて収容されるコイルスプリング３と、該コイルスプリング３の位置決め部４ａをリング状に天板の内側に突設すると共に前記下部キャップ２の複数の下部係合部２ｂと係合する複数の上部係合部４ｂを縁部内周に突設させたカップ状の上部キャップ４と該上部キャップ４の天板の中心に穿設した上部固定用穴４ｃと、該上部固定用穴４ｃに嵌入させる上部固定部５ａを下面に突設し平坦状の上面に複数の溝５ｂを刻設した上部ゴム座５とから成り、前記複数の下部係合部２ｂと前記複数の上部係合部４ｂの夫々の係合面に凹凸状の位置決め部２ｃ．４ｄを形成し、該夫々の位置決め部２ｃ．４ｄの位置を表示する位置決め表示部２ｄ．４ｅを下部キャップ２と上部キャップ４との胴周に設けると共に、前記下部キャップ２の胴周に上方からの荷重によって可変する上部キャップ４の下端の位置の荷重を表示する複数の荷重目盛表示部６を付設したものである。
【００１１】
即ち、本考案の防振装置の実施の形態の下部ゴム座１は合成ゴムで円板状に形成されており、平坦状の下面には振動を発生する機器を載置する場所の床又は台等との当接面に安定して載置するように又は若干の振動を吸収できるように同心状の複数の凹溝１ｂを形成しているものであるが、設置する場所に合致させて矩形状に形成したり、コ字状に切欠させた部位を延設してもその形状は構わないものである。
【００１２】
そして、下部固定部１ａは前記下部ゴム座１の上面の中心に短円柱状に突設しているもので、後述する下部キャップ２の底面に穿設した下部固定用穴２ａに嵌入して下部ゴム座１と下部キャップ２とを固定するものである。
【００１３】
次に、下部キャップ２はポリプロピレン等の合成樹脂でカップ状に形成したもので、底面の中心には前記下部ゴム座１に突設した下部固定部１ａを嵌入させる下部固定用穴２ａを穿設しており、円筒状の胴壁は後述するコイルスプリング３が伸縮可能に僅かな隙間を有して形成され、胴部の上方の縁部外周には板状の複数の図示する実施の形態では４つの下部係合部２ｂを突設しているものである。
【００１４】
次いで、コイルスプリング３は下部キャップ２の胴壁に上方を突出させて伸縮自在に収容されるもので、バネ炭素鋼で螺旋状に形成されバネ定数を変えることにより、振動を発生する機器の適正荷重に合致させて用いるものである。
【００１５】
更に、上部キャップ４はポリプロピレン等の合成樹脂でカップ状に形成したもので、天板の内側には収容するコイルスプリング３の外径より僅かな隙間を有した内周を備えたリング状の位置決め部４ａを突設すると共に、円筒状の胴周の下端の内周縁部には下部キャップ２の下部係合部２ｂと係合させる板状の複数の図示する実施の形態では４つの上部係合部４ｂを突設したものである。
【００１６】
更には、上部固定用穴４ｃは上部キャップ４の天板の中心に穿設しており、後述する上部ゴム座５の上部固定部５ａを嵌入させて上部ゴム座５を上部キャップ４に固定するためのものである。
【００１７】
次に、上部ゴム座５は前記下部ゴム座１と同様なもので、合成ゴムで板状に形成されており、平坦状の上面には振動を発生させる機器の底面等との当接面を安定して載置させるように又は若干の振動を吸収できるように同心状の複数の凹溝５ｂを形成しているものであり、設置する振動を発生させる機器の底面の形状に合致させて矩形状に形成したり、コ字状に切欠させた部位を延設してもその形状は構わないものである。
【００１８】
そして、位置決め部２ｃ．４ｄは複数の下部係合部２ｂの下面と複数の上部係合部４ｂの上面との係合面の中央辺に凹凸状に形成しているもので、凸条と凹溝はどちらに設けても良く、凸条が凹溝に嵌入することで位置決めを行うものである。
【００１９】
更に、位置決め表示部２ｄ．４ｅは下部キャップ２と上部キャップ４との胴周に上下方向に設けている線状のもので、下部係合部２ｂの下面に設けた位置決め部２ｃと上部係合部４ｂの上面に設けた位置決め部４ｄが嵌入したとき、夫々の位置決め表示部２ｄ．４ｅは一直線に成るもので、外側からでも位置決めが確認できるものである。
【００２０】
更には、複数の荷重を表す荷重目盛表示部６は図１に図示する実施の形態では４本の線と数字で表示しているものであり、下部キャップ２の胴周に上方からの振動を発生させる機器の荷重によって可変する上部キャップ４の下端の位置に付設しているものである。
【００２１】
つまり、本考案の防振装置の下部ゴム座１と上部ゴム座５とは同じものでも良く、更に、下部キャップ２と上部キャップ４とは代えることなくバネ定数の相違するコイルスプリング３を用いることにより、例えば、防振装置のサイズが９０ｍｍφ×１０６ｍｍ程度のもので、１０Ｋｇから２００Ｋｇ程度の荷重のある振動を発生する機器の適正荷重に適応できるものである。
【００２２】
そして、下部キャップ２の下部固定用穴２ａに下部ゴム座１の下部固定部１ａを嵌入させ、上部キャップ４の上部固定用穴４ｃに上部ゴム座５の上部固定部５ａを嵌入させることで夫々を固定し、下部キャップ２の中にコイルスプリング３の上方を突出させて収容し、コイルスプリング３の上方から上部キャップ４を被せコイルスプリング３の弾性に抗しながら下部係合部２ｃと上部係合部４ｄとを係合させ、係合面に夫々形成した夫々の位置決め部２ｃ．４ｄが嵌入したとき、位置決め表示部２ｄ．４ｅが一直線と成り、外観からでも認識できるもので容易に組立がなものである。
【００２３】
【考案の効果】
本考案の防振装置は、下部キャップの胴周の縁部外周に複数の下部係合部を形成し、複数の下部係合部に係合する複数の上部係合部を上部キャップの縁部内周に形成したことによって、コイルスプリングの収納が容易で、メンテナンス等の場合の点検、コイルスプリングの交換が容易であり、更に、複数の下部係合部と複数の上部係合部との係合面に凹凸状の位置決め部を形成したことによって下部キャップと上部キャップとの位置を決めが容易にでき、更には、下部キャップと上部キャップとの胴周に位置決め表示部を設けたことによって外観から認識することができ、加えて、バネ定数の相違するコイルスプリングを用いることにより、適正な荷重に対応できる防振装置となり、更には、荷重によって可変する上部キャップの下端の位置で荷重を重さを表す複数の荷重目盛表示部を付設したことにより、適正な荷重であるか否かが容易に判別ができるものであり、極めて実用性の高い考案である。
【図面の簡単な説明】
【図１】図１は本考案の防振装置の実施の形態を説明するための縦中心線より右側を断面とした正面図である。
【図２】図２は本考案の防振装置の実施の形態の下部キャップの平面図である。
【図３】図３は本考案の防振装置の実施の形態の上部キャップの底面図である。
【符号の説明】
１　　　下部ゴム座
１ａ　　下部固定部
１ｂ　　凹溝
２　　　下部キャップ
２ａ　　下部固定用穴
２ｂ　　下部係合部
２ｃ　　位置決め部
２ｄ　　位置決め表示部
３　　　コイルスプリング
４　　　上部キャップ
４ａ　　位置決め部
４ｂ　　上部係合部
４ｃ　　上部固定用穴
４ｄ　　位置決め部
４ｅ　　位置決め表示部
５　　　上部ゴム座
５ａ　　上部固定部
５ｂ　　凹溝
６　　　荷重目盛表示部
【図１】
0003098653.tif 000003
【図２】
0003098653.tif 000004
【図３】
0003098653.tif 000005